(57)【要約】【課題】２次側端子と電圧極用の導電バーとの電気的な接続関係を分かりやすくする。【解決手段】分岐ブレーカ１は、導電バーの長手方向に交差する方向における導電バーの両側にそれぞれ取着可能な器体１１と、電圧極用の一対の導電バーにそれぞれ電気的に接続される一対の１次側端子１２と、電線がそれぞれ電気的に接続される一対の２次側端子１３と、導電バーの前記両側の一方の側に器体１１を取着したときの２次側端子１３と電圧極用の導電バーとの電気的な接続関係を表示する表示部１６と他方の側に器体１１を取着したときの当該接続関係を表示する表示部１６との２つの表示部とを備え、各表示部１６は、器体１１を取着したときの器体１１の取付向きに合わせた向きで表記された表示をそれぞれ備える。【選択図】図１
2010251121.tif 000002
【特許請求の範囲】
【請求項１】
中性極用の導電バーと電圧極用の一対の導電バーとを備える単相３線用の分電盤に用いられる分岐ブレーカであって、導電バーの長手方向に交差する方向における導電バーの両側にそれぞれ取着可能な器体を備え、器体は、プラグイン接続端子であって器体の一壁面側に設けられて電圧極用の一対の導電バーにそれぞれ電気的に接続される一対の１次側端子と、電線がそれぞれ電気的に接続される一対の２次側端子と、導電バーの前記両側の一方の側に器体を取着したときの２次側端子と電圧極用の導電バーとの電気的な接続関係を表示する表示部と他方の側に器体を取着したときの当該接続関係を表示する表示部との２つの表示部とを備え、各表示部は、器体を取着したときの器体の取付向きに合わせた向きで表記された表示をそれぞれ備えることを特徴とする分岐ブレーカ。
【請求項２】
前記分電盤は壁に取り付けられ、前記２つの表示部が厚み方向の一表面に上下方向に並設されるとともに前記器体内に収容される表示板を備え、器体は、表示部を器体の外側に露出させる表示窓を備えるとともに、一方の表示部が表示窓に対向する位置と、他方の表示部が表示窓に対向する位置との間で表示板を摺動自在に支持していることを特徴とする請求項１に記載の分岐ブレーカ。
【発明の詳細な説明】
【技術分野】
【０００１】
本発明は、中性極用の導電バーと電圧極用の一対の導電バーとの３本の導電バーを備えた単相３線用の分電盤に用いる分岐ブレーカに関するものである。
【背景技術】
【０００２】
この種の分岐ブレーカは、３本の導電バーのうちのいずれか２本の導電バーとそれぞれ電気的に接続される一対の１次側端子と、電線接続用のねじ付き端子である一対の２次側端子とが器体外部に設けられ、１次側端子と２次側端子との間の電路を開閉する接点装置が器体内に設けられる。
【０００３】
図８に示す分岐ブレーカは、中性極用の導電バーＮと電圧極用の一対の導電バーＬ１，Ｌ２とがそれぞれ板状に形成されて厚み方向に並設された分電盤に用いられるものであり、器体１１の壁には、中性極用の導電バーＮと電圧極用の一対の導電バーＬ１，Ｌ２との長手方向に交差する方向の端部がそれぞれ挿入される３つの差込溝１４が設けられている（例えば、特許文献１参照）。
【０００４】
器体１１は、差込溝１４が設けられた壁を導電バーＮ，Ｌ１，Ｌ２側として分電盤に取り付けられ、導電バーＮ，Ｌ１，Ｌ２の幅方向の両側のいずれにも取着することができる。
【０００５】
図示する分岐ブレーカ２は、１００Ｖ用であって、１次側端子１２は、中性極用の導電バーＮが差し込まれる差込溝１４内と、電圧極用の導電バーＬ１が差し込まれる差込溝１４内または導電バーＬ２が差し込まれる差込溝１４内にそれぞれ設けられている。１次側端子１２は、導電バーＮ，Ｌ１，Ｌ２を差し込むことができる形状に形成された板ばねからなる、いわゆるプラグイン接続端子である。
【０００６】
特許文献１には、電圧極用の導電バーＬ１が差し込まれる差込溝１４に１次側端子１２を設けた分岐ブレーカ２と、導電バーＬ２が差し込まれる差込溝１４に１次側端子１２を設けた分岐ブレーカ２との２種類の分岐ブレーカ２を導電バーＮ，Ｌ１，Ｌ２に取り付ける構成が記載されている。分岐ブレーカ２の種類が分かるように、１次側端子１２が接続する導電バー名が表記された表示部５１が器体１１に設けられている。
【０００７】
２種類の分岐ブレーカ２を用いて導電バーＬ１に流れる電流と導電バーＬ２に流れる電流とのバランスをとる技術に対して、電圧極用の２つの導電バーＬ１，Ｌ２の形状を変えて１種類の分岐ブレーカ２だけでも当該バランスをとることができる技術が開示されている（例えば、特許文献２参照）。
【０００８】
特許文献２に記載された分電盤では、図９に示すように、中性極用の導電バーＮの幅方向の両側の一方の側に器体１１を取り付けたときと、他方の側に器体１１を取り付けたときとで、１次側端子１２が設けられた挿入溝１４に挿入される電圧極用の導電バーＬ１，Ｌ２が入れ替わるように、導電バーＬ１，Ｌ２が形成されている。分岐ブレーカ２は、導電バーＮの幅方向のいずれの側に器体１１を取り付けるかで、１次側端子１２が導電バーＬ１に接続されるか、導電バーＬ２に接続されるかが決まる。
【先行技術文献】
【特許文献】
【０００９】
【特許文献１】特許第３３３００４７号公報
【特許文献２】特開２００１−６９６２０号公報
【発明の概要】
【発明が解決しようとする課題】
【００１０】
ところで、分岐ブレーカには、一対の１次側端子１２を電圧極用の一対の導電バーＬ１，Ｌ２がそれぞれ挿入される２つの差込溝１４内にそれぞれ配設して２００Ｖ用としたものがある。２００Ｖの分岐ブレーカでは、一方の２次側端子は、電圧極用の導電バーＬ１に接続する場合と導電バーＬ２に接続する場合とがあり、一対の２次側端子と電圧極用の導電バーＬ１，Ｌ２との電気的な接続関係が分かり難いという問題がある。
【００１１】
また、図９に示すような構成の導電バーＬ１，Ｌ２を備えた分電盤に２００Ｖ用の分岐ブレーカを使用する場合、導電バーＮ，Ｌ１，Ｌ２の両側のうち、どちらの側に器体１１を取り付けるかで前記接続関係が変わり、さらに接続関係が分かり難くなる。
【００１２】
本発明は上記事由に鑑みて為されたものであり、その目的は、２次側端子と導電バーとの電気的な接続関係を分かりやすくした分岐ブレーカを提供することにある。
【課題を解決するための手段】
【００１３】
請求項１の発明は、中性極用の導電バーと電圧極用の一対の導電バーとを備える単相３線用の分電盤に用いられる分岐ブレーカであって、導電バーの長手方向に交差する方向における導電バーの両側にそれぞれ取着可能な器体を備え、器体は、プラグイン接続端子であって器体の一壁面側に設けられて電圧極用の一対の導電バーにそれぞれ電気的に接続される一対の１次側端子と、電線がそれぞれ電気的に接続される一対の２次側端子と、導電バーの前記両側の一方の側に器体を取着したときの２次側端子と電圧極用の導電バーとの電気的な接続関係を表示する表示部と他方の側に器体を取着したときの当該接続関係を表示する表示部との２つの表示部とを備え、各表示部は、器体を取着したときの器体の取付向きに合わせた向きで表記された表示をそれぞれ備えることを特徴とする。
【００１４】
請求項２の発明は、請求項１の発明において、前記分電盤は壁に取り付けられ、前記２つの表示部が厚み方向の一表面に上下方向に並設されるとともに器体内に収容される表示板を備え、器体は、表示部を器体の外側に露出させる表示窓を備えるとともに、一方の表示部が表示窓に対向する位置と、他方の表示部が表示窓に対向する位置との間で表示板を摺動自在に支持していることを特徴とする。
【発明の効果】
【００１５】
請求項１に記載された構成では、各表示部は、器体を取着したときの器体の取付向きに合わせた向きで表記された表示をそれぞれ備えるから、器体を導電バーのどちらの側に取り付けても一方の表示部の表示は器体の取付向きに合い、その結果、２次側端子と導電バーとの電気的な接続関係が分かりやすくなるという利点がある。
【００１６】
請求項２に記載された構成では、器体は、一方の表示部が表示窓に対向する位置と、他方の表示部が表示窓に対向する位置との間で表示板を摺動自在に支持しているから、器体の取付向きに応じて表示窓に対向する表示部を自動で切り替えることができるとともに、２つの表示部のうち一方のみを作業者に視認させることができ、その結果、２次側端子と導電バーとの電気的な接続関係を請求項１よりも分かりやすくできるという利点がある。
【図面の簡単な説明】
【００１７】
【図１】実施形態１を示し、（ａ）は正面図、（ｂ）は側面図である。
【図２】同上の平面図である。
【図３】同上の背面図である。
【図４】同上を分電盤に取り付けた状態を示す正面図である。
【図５】（ａ）は同上を導電バーの上側に取り付けた状態を示す要部正面図であり、（ｂ）は同上を導電バーの下側に取り付けた状態を示す要部正面図である。
【図６】実施形態２を示す正面図である。
【図７】同上の一部破断した側面図である。
【図８】従来例を示す斜視図である。
【図９】他の従来例を示す断面図である。
【発明を実施するための形態】
【００１８】
（実施形態１）
本実施形態では、図４に示すように、複数個の１００Ｖ用の分岐ブレーカ２を取付可能な単相３線用の分電盤３に用いられる２００Ｖ用の分岐ブレーカ１を例示する。
【００１９】
本実施形態の分電盤３は、壁に取り付けられる筐体３１を備え、筐体３１には、背景技術の欄で説明した図８に示す構成の導電バーＮ，Ｌ１，Ｌ２が配設されているものとする。
【００２０】
導電バーＮは、幅方向が上下となり、長手方向が左右方向となるように配設され、導電バーＬ１，Ｌ２は、導電バーＮの後方に配設されている。各導電バーＮ，Ｌ１，Ｌ２は、メインブレーカ３２の２次側端子である端子ねじ３３にそれぞれ接続されている。
【００２１】
筺体３１における導電バーの上側と下側とには、１００Ｖ用の分岐ブレーカ２が取付可能な複数の取付部（図示せず）がそれぞれ左右方向に並設されている。１００Ｖ用の分岐ブレーカ２は、前面矩形状に形成され、取付部に取り付けられる。
【００２２】
２００Ｖ用の分岐ブレーカ１は、図１〜３に示すように、前面方形状に形成された器体１１を備える。器体１１における長手方向に交差する一方の側面には、３本の導電バーＮ，Ｌ１，Ｌ２がそれぞれ差し込まれる３つの差込溝１４が凹設される。器体１１は、図４に示すように、差込溝１４が設けられた壁を導電バーＮ，Ｌ１，Ｌ２側として、導電バーＮ，Ｌ１，Ｌ２の上側または下側に取り付けられ、係止部材３４で筐体３１に固定される（図４参照）。
【００２３】
ここに、器体１１の幅寸法（左右方向の長さ寸法）は、１００Ｖ用の分岐ブレーカ２の幅寸法の２倍に設定されている。
【００２４】
器体１１には、電圧極用の導電バーＬ１，Ｌ２と接続される一対の１次側端子１２と、電線接続用のねじ付き端子である一対の２次側端子１３と、器体１１内に収納された接点装置（図示せず）の開閉を手動で行うための操作ハンドル１５とが外部に露出して設けられる。
【００２５】
各１次側端子１２は、電圧極用の導電バーＬ１，Ｌ２がそれぞれ差し込まれる形状に形成された板ばねからなるいわゆるプラグイン接続端子であり、導電バーＬ１，Ｌ２がそれぞれ差し込まれる２つの差込溝１４内にそれぞれ配設される。１次側端子１２は、器体１１の幅方向（図における左右方向）の両部にそれぞれ１個ずつ設けられる。一対の２次側端子１３は、器体１１の前面側において、器体１１の幅方向の両部にそれぞれ１個ずつ並設される。
【００２６】
２次側端子１３が設けられた器体１１の前面側には、２次側端子１３と電圧極用の導電バーＬ１，Ｌ２との電気的な接続関係を表示するための２つの表示部１６が設けられる。２つの表示部１６は、上下方向に並設される。２次側端子１３に近い側の表示部１６は、導電バーＮ，Ｌ１，Ｌ２の上側に器体１１を取り付けたときの前記接続関係を表示するためのものであり、２次側端子１３から遠い側の表示部１６は、導電バーＮ，Ｌ１，Ｌ２の下側に器体１１を取り付けたときの前記接続関係を表示するためのものである。
【００２７】
表示部１６には、「Ｌ１」、「Ｌ２」、「２００Ｖ」の文字が表示として表記される。「Ｌ１」の文字と「Ｌ２」の文字とは、２次側端子１３に対応する位置に表記される。具体的には、器体１１の幅方向の両部の一方に「Ｌ１」の文字が表記され、他方に「Ｌ２」の文字が表記される。「２００Ｖ」の文字は、「Ｌ１」の文字と「Ｌ２」の文字との間に表記される。
【００２８】
また、上述したように、図８に示す構成の導電バーＮ，Ｌ１，Ｌ２を用い、導電バーＮ，Ｌ１，Ｌ２の上側に器体１１を取り付けたときと、導電バーＮ，Ｌ１，Ｌ２の下側に器体１１を取り付けたときとで電圧極用の導電バーＬ１，Ｌ２がそれぞれ接続する２次側端子１３が反対になるから、一方の表示部１６と他方の表示部１６とで、「Ｌ１」の文字と「Ｌ２」の文字との位置を入れ替えている。
【００２９】
また、上述したように、器体１１は、差込溝１４が設けられた側の壁を導電バーＮ，Ｌ１，Ｌ２側として分電盤３に取り付けられるから、導電バーＮ，Ｌ１，Ｌ２の上側に器体１１を取り付けたときと、導電バーＮ，Ｌ１，Ｌ２の下側に器体１１を取り付けたときとで、器体１１の取付向きが反対になる。本実施形態では、「Ｌ１」、「Ｌ２」、「２００Ｖ」の文字は、２次側端子１３に近い側の表示部１６は、導電バーＮ，Ｌ１，Ｌ２の上側に器体１１を取り付けたときの器体１１の取付向きに合わせた向きで表記され、２次側端子１３から遠い側の表示部１６は、導電バーＮ，Ｌ１，Ｌ２の下側に器体１１を取り付けたときの器体１１の取付向きに合わせた向きで表記される。
【００３０】
したがって、図５（ａ）に示すように、導電バーＮ，Ｌ１，Ｌ２の上側に器体１１を取り付けた場合、導電バーＮ，Ｌ１，Ｌ２の上側に器体１１を取り付けた場合の前記接続関係を表示する方の表示部１６（２次側端子１３に近い側の表示部１６）の文字が正立し、２次側端子１３から遠い側の表示部１６の文字は倒立する。反対に、図５（ｂ）に示すように、導電バーＮ，Ｌ１，Ｌ２の下側に器体１１を取り付けた場合、導電バーＮ，Ｌ１，Ｌ２の下側に器体１１を取り付けた場合の前記接続関係を表示する方の表示部１６（２次側端子１３から遠い側の表示部１６）の文字が正立し、２次側端子１３に近い側の表示部１６の文字は倒立する。
【００３１】
したがって、正立する方の表示部の文字を読み取ることで前記接続関係を認識することができ、２次側端子１３と電圧極用の導電バーＬ１，Ｌ２との電気的な接続関係が分かりやすい。当該接続関係が分かりやすいから、２次側端子１３に変流器を接続して電力測定を行う場合において、２次側端子１３と変流器との接続を間違えて導電バーＬ１（またはＬ２）に流れる電流と導電バーＬ２（またはＬ１）の電圧とで電力が測定されることを防止できる。
【００３２】
なお、本実施形態では、「Ｌ１」、「Ｌ２」、「２００Ｖ」の文字を表示として表記する例を示したが、文字に限るものではなく、記号であってもよい。
【００３３】
（実施形態２）
実施形態１では、表示部１６を器体１１の前面に設けた構成を説明したが、本実施形態では、図６，７に示す表示板４１の前面に、表示部１６と同様式の２つの表示部（図示せず）を設けた構成を説明する。
【００３４】
２つの表示部は、上下方向に並設される。表示板４１は、器体１１に収容され、器体１１の前壁には、表示部を器体１１の外部に露出させるための表示窓１７が開設される。器体１１内には、前後方向において前壁とともに表示板４１を挟む摺接壁１１ａと、上下一対のストップ壁１１ｂとが設けられる。
【００３５】
一対のストップ壁１１ｂ間の寸法は、表示板４１の上下方向の寸法よりも大きく設定され、器体１１の前壁と摺接壁１１ａとの間の寸法は、表示板４１の厚み寸法と略同一寸法に設定される。一対のストップ壁１１ｂは、一方の表示部１６が表示窓１７に対向する位置と他方の表示部１６が表示窓１７に対向する位置とで表示板４１の上下両端面の一方にそれぞれ当接するように設けられる。
【００３６】
表示板４１は、器体１１の前記取付向きに応じて自重により上下に摺動し、表示窓１７から視認できる表示部１６が器体１１の取付向きに応じて切り替わる。したがって、「Ｌ１」、「Ｌ２」、「２００Ｖ」の文字（図１（ａ）参照）が成立する方の表示部のみが視認でき、２次側端子１３と導電バーＬ１，Ｌ２（図８参照）との接続関係が実施形態１よりも分かりやすくなる。
【００３７】
その他の構成は実施形態１の構成と同様である。
【符号の説明】
【００３８】
１  分岐ブレーカ
３  分電盤
１１  器体
１２  １次側端子
１３  ２次側端子
１４  差込溝（接続部）
１６  表示部
１７  表示窓
４１  表示板
【図１】
2010251121.tif 000003
【図２】
2010251121.tif 000004
【図３】
2010251121.tif 000005
【図４】
2010251121.tif 000006
【図５】
2010251121.tif 000007
【図６】
2010251121.tif 000008
【図７】
2010251121.tif 000009
【図８】
2010251121.tif 000010
【図９】
2010251121.tif 000011